(57)【特許請求の範囲】
【請求項１】
製品を収容するために設計された容器（３００）に装備するためのキャップ（２００）であって、該キャップが、
上記容器（３００）にキャップを取り付ける手段（２０６）を具備し、更に製品を排出するための少なくとも１つの流路（２０５）と、空気取り込みのための流路（２１０）と、上記空気取り込み流路（２１０）内に設けられた部材（１０）とを具備し、
当該部材（１０）が、少なくとも部分的に弾性可能であり、容器内の減圧量が大気圧とは異なった予め定まった閾差圧値より少ないときに、容器（３００）内の空気取り込み流路を画定するキャップ（２００）の少なくとも一部分に形成されたシート部（２１６）に密封状態で接触する開閉部材（１５）を具備し、
該開閉部材（１５）は、上記予め定まった閾差圧値に達すると上記シート部（２１６）から離れる方向に移動して容器（３００）に空気を流入させ、容器（３００）内の減圧量が上記予め定まった閾差圧値より少ない状態に戻ったときにシート部（２１６）に密封状態で接触した位置に弾性復元により復帰可能であり、
部材（１０）がキャップに配置されるときには作用的形状に置かれ、部材（１０）のキャップへの取り付けの際に、前記作用的な形状は、部材（１０）の取り付け時の形状の弾性的に不可逆的な変形により得られること特徴とするキャップ。
【請求項２】
開閉部材（１５）がスカート部（１５）からなり、該スカート部（１５）を少なくとも部分的に折り返すことにより作用的な形状に置かれることを特徴とする請求項１に記載のキャップ。
【請求項３】
スカート部が、脚部（１３）と連続して形成され、該脚部（１３）は、部材（１０）が取り付け位置にあるときに容器（３００）の内部に少なくとも部分的に位置せしめられ、該部材（１０）は、スカート部（１５）を該脚部（１３）上にシート部（２１６）に向けて折り返すことにより作用的形状に配され、このようにして折り返された上記スカート部（１５）の領域（１４；１９）が容器（３００）内の減圧量が予め定まった値より少ないときにシート部（２１６）に密封状態で接触せしめられることを特徴とする請求項２に記載のキャップ。
【請求項４】
シール領域（１９）が上記スカート部上であって、その自由端から所定の距離を有する領域であることを特徴とする請求項３に記載の部材。
【請求項５】
シート部（２１６）が、空気取り込み流路近傍の容器の一部により形成され、スカート部のシール領域（１９）がシート部（２１６）から容器内に向いた下方軸方向に伸びるリム部（２２６）と密封状態で接触することを特徴とする請求項４に記載のキャップ。
【請求項６】
シール領域がスカート部（１５）の自由縁部により形成されたリップ部（１４）からなることを特徴とする請求項３に記載のキャップ。
【請求項７】
上記スカート部（１５）が、該スカート部（１５）の内面に形成され、Ｖ又はＵ字形の環状溝（１７）により形成された折り畳み領域の回りで折り返されることを特徴とする請求項２ないし６の何れか１項に記載のキャップ。
【請求項８】
熱可塑性又は架橋エラストマーから選択されるエラストマー材料から少なくとも部分的に形成されてなることを特徴とする請求項１ないし７の何れか１項に記載のキャップ。
【請求項９】
上記材料が、ニトリル、ブチル、シリコーン、天然又は合成ラテックス、ＥＰＤＭ、ポリウレタン、ポリプロピレンとＳＢＳ、ＳＥＢＳ又はＥＰＤＭの混合物、超低密度ポリエチレン、ポリエステルグリコール（ＴＰＵ）又はポリエーテルグリコール（ＰＥＢＡ及びＣＯＰＥ）系ブレンド及び軟質ポリ塩化ビニル（ＰＶＣ）から選択されることを特徴とする請求項８に記載のキャップ。
【請求項１０】
キャップは空気取り込み流路（２１０）を形成する開口部を備え、前記部材（１０）は、当該開口部に取り付けられるように当該開口部の最小の直径よりも大きい直径を有する基部（１２）を備え、当該基部（１２）は、キャップ上で部材（１０）を保持するためにキャップの開口部を画定する縁部に係止されることを特徴とする請求項１ないし９の何れか１項に記載のキャップ。
【請求項１１】
空気取り込み流路（２１０）が、
ａ）キャップ（２００）が容器（３００）に取り付けられた位置にあるときに容器の外側に向き、上記空気取り込み流路（２１０）が形成されたキャップの壁部（２０１）の厚みの部分にわたって延びる第１の部分（２１１）であって、第１の直径を有する第１の部分（２１１）と、
ｂ）キャップ（２００）が容器（３００）に取り付けられた位置にあるときに容器の内側に向き、上記壁部（２０１）の厚みの残りにわたって延びる第２の部分（２１２）であって、第１の部分より小なる第２の直径を有している第２の部分（２１２）とから形成されていることを特徴とする請求項１ないし１０の何れか１項に記載のキャップ。
【請求項１２】
部材が、空気取り込み流路内に保持手段（１２）によって保持され、該保持手段（１２）が、上記空気取り込み流路（２１０）の第１の部分（２１１）の内径と等しいか小さい直径であり、作用的形状の開閉部材（１５）が第２の直径より大なる最小直径を有していることを特徴とする請求項１１に記載のキャップ。
【請求項１３】
第１の部分（２１１）が、上記部材（１０）により形成された対応する肩部（１６）と係合するようにされた肩部（２１３）とともに第２の部分（２１２）に連接せしめられ、一又は複数のチャンネル（２１４）が上記肩部（１６，２１３）の少なくとも一方又は他方の面に形成され、開閉部材（１５）がシート部（２１６）と密封状態で係合していない状態において容器に向けての空気の少なくとも一つの流路を形成することを特徴とする請求項１２に記載のキャップ。
【請求項１４】
第２の部分（２１２）が、容器の内側に向くリム部（２２６）によって延び、上記開閉部材のシール領域（１９）が上記リム部（２２６）上を密封状態で押圧可能であることを特徴とする請求項１２又は１３に記載のキャップ。
【請求項１５】
保持手段（１２）の厚みが、空気の取り込み流路（２１０）の上記第１の部分（２１１）の深さに等しいことを特徴とする請求項１２に記載のキャップ。
【請求項１６】
容器（３００）の外部に配設されたポンプ（１０４）と、容器（３００）と該ポンプ（１０４）の間に配設された少なくとも一本の管路（１０２，３０７）を介して連通するように容器（３００）を配設可能であることを特徴とする請求項１ないし１５の何れか１項に記載のキャップ。
【請求項１７】
容器（３００）の外部に配設され上記ポンプ（１０４）に接続された管路（１０２）の、圧力嵌合による取り付けと、容器（３００）内に配設された浸漬チューブ（１０７）との排出流路（２０５）を介しての連通を可能にする手段（２０３）を具備し、浸漬チューブは容器の底部（３０２）にほぼ配設される自由端（３０８）を有することを特徴とする請求項１６に記載のキャップ。
【請求項１８】
取り付け手段（２０６）が、開口部（３０４）を形成する自由縁部を有する容器の首部（３０３）に、キャップ（２００）を、ネジ締結又はスナップ締結により、取り付けることを可能にすることを特徴とする請求項１ないし１７の何れか１項に記載のキャップ。
【請求項１９】
ポリエチレン又はポリプロピレンを成形することにより得られることを特徴とする請求項１ないし１８の何れか１項に記載のキャップ。
【請求項２０】
請求項１ないし１９の何れか１項に記載されたキャップ（２００）を備えたことを特徴とする、化粧用製品を収容するように設計された容器。
【請求項２１】
熱可塑性材料、金属、ガラス又はセラミックからなることを特徴とする請求項２０に記載の容器。
【請求項２２】
ａ）請求項２０又は２１に記載の容器（３００）；
ｂ）容器（３００）の外部に配設され少なくとも一つの管路（１０２，３０７）を介して容器（３００）に接続された手動操作式ポンプ（１０４）；及び
ｃ）上記ポンプ（１０４）を作動し少なくとも一つの透孔（１０８）を通じて製品を分配するための手段（１０６）；
を具備する、化粧用製品を収容し分配するための装置（１００）。
【発明の詳細な説明】
【０００１】
【発明の属する技術分野】
本発明は、流動性製品、例えば化粧用製品を収容（包装）し分配することに関する。本発明は、容器の外部に配設されたポンプによって製品が汲み上げられる収容（包装）及び分配方法を特に対象とする。より一般的には、本発明は、容器の全体的なシールを悪化させない空気の取り込みを伴う、それが含んでいる製品を分配するための任意のタイプの包装を対象とする。
【０００２】
【従来の技術及び発明が解決しようとする課題】
例えば香水の分野では、顧客が製品を購入する前にそれを試してみることができるようにする試験品（テスター）を提供することは販売店にとって一般的なことである。通常、試験品は販売を意図しているものと同じ型の製品からなる。これらの試験品の量は限られているが、これは、それらを新しくしなければならないことが多いことを意味している。更に、顧客による香水の評価は、試験の地点に存在する香水の様々な瓶から生じる蒸気混合物が含まれた大気によって悪くなることもありうる。また、試験品が試験地点から＜消えてしまう＞こともかなり頻繁にある。最後に、そのような販売店の設計者は、一又は複数の試験品に対してフロントの非常に特別な位置を提供することが必要であるため、創造性が制限されてしまう。
【０００３】
そこで、上述の問題を全て解決する目的で、香水を含んでいる容器からポンプの位置を離すことが提案されている。しかして、その作動部材を伴ったポンプを展示カウンター上に固定して取り付け、ある長さの管路によって香水を含んでいる容器に接続することができ、その容器は顧客が近づけない装置中に位置せしめられる。これによって、香水瓶の盗難又は破損の危険性はなくなる。展示カウンター上のスペースの節約はかなりのものである。香水を含んでいる容器は、より大きな容量のものとできる。瓶からの蒸気は閉じた装置内に留まる。要するに、その利点は多大である。
【０００４】
常套的に使用されている手動操作式ポンプでは、ポンプはシールされ、空気がポンプストロークの底部に取り込まれる。そのような空気の取り込みは、容器内に生じる減圧がポンプの作動を妨げることがないように、分配された製品の容積を補うために必要である。よって、ポンプが容器に取り付けられる場合、ポンプが操作される度に容器中への空気の取り込みが問題なく生じる。そのような空気の取り込みは、香水の揮発性成分が過剰な割合で蒸発するのを防ぎ、香水の官能品質を全て保持する。
【０００５】
ポンプが容器から離される場合、次の問題が生じる。（ポンプのストロークの底部位置での）空気の取り込みがもはや生じない。容器内の過度の減圧のためにポンプの作動がすぐに妨げられる。しかして、非常に揮発性の成分を含んでいるような製品では、完全なシールを有していることが絶対に必要である。よって、例えばシャンプーのような揮発性の少ない製品を収容する装置に使用されている、制御された空気の漏洩の形に空気の取り込みを設計することはできない。
従って、本発明の目的の一つは従来のシステムを参照しながら上述された課題を完全に又は部分的に解決することにある。
【０００６】
本発明の特定の目的は、特にポンプが正規の位置から離されているディスペンサーに対して設計され、製作と取り付けが簡単で経済的である空気取り込み部材を提供することにある。
本発明の他の目的は、それが取り付けられている容器が適切にシールされることを保証するかかる空気取り込み部材を製作することである。
更に他の目的は、容器から離されているポンプによって分配製品が汲み上げられる装置に装備するための空気取り込み部材を製作することにある。
他の目的は以下の詳細な記述において明らかになるであろう。
【０００７】
【課題を解決するための手段】
発明によれば、これらの目的は、容器の空気取り込み流路に設けられるための部材を製作することにより達成され、該部材は、少なくとも部分的に弾性的に変形可能であり、該部材が作用的形状にある場合、容器内の減圧が大気圧とは異なった予め定まった閾値より少ないときに、容器内の空気取り込み流路の少なくとも一部の回りに形成されたシート部に密封状態で接触する開閉部材を具備し、該開閉部材は、予め定まった値に達するとシートから離れる方向に移動して容器に空気を流入させ、容器内の減圧が予め定まった閾差圧値未満に戻ったときにシート部に密封状態で接触した位置に弾性復元により戻ることが可能であり、該部材は取り付け時には弾性的に不可逆的な変形を介して作用的形状に置かれる。
本発明において、「弾性的に不可逆的な」変形とは、部材の単純な弾性変形から生じず、部材の変形した形状が、変形をもたらした応力が解かれた場合でさえ維持される変形を意味する。
【０００８】
よって、製品の汲み上げに応答して容器内に生じる減圧があまりに大きくならない限り、開閉部材は、空気取り込み流路の回りに形成されたシート部に弾性的に当接し、よって特に容器に含まれる揮発性成分に対して良好なシール性を保証する。減圧がある閾値に達する場合、減圧が十分に大きくなって部材の弾性に打ち克ち、シート部からシールを離脱させ、容器内に空気が入るようになる。減圧が閾値以下に落ちると、開閉部材は弾性的復元により自動的に復帰して、シート部に密封状態で接触し、よって、かかる空気取り込み口を備えた包装の完全なシールを再び確立する。よって、容器の内部は、空気の進入が必要なときだけ外部と選択的に連通せしめられる。
【０００９】
部材の作用的形状が取り付けの間のその弾性的に不可逆的な変形によって得られるということは、特にそれが成形により得られる場合に、部材を製作し取り付けることが容易になる。更に、一方では部材に、他方では意図される容器に対する製造誤差に伴う問題を大きく克服する。
容器内への空気の取り込みは、部材が挿入されている流路の内縁部とその外縁部の間の部材回り全体に形成された連続な環状流路を経由してのものでありうる。あるいは、部材の周囲に等しく間隔をあけて配設された複数の不連続な流路から作られうる。
【００１０】
有利には、開閉部材はスカート部からなり、該部材はスカート部を少なくとも部分的に折り返すことにより作用的な形状に置かれる。
本発明の特定の実施態様によれば、スカート部は、部材の一部と本質的に連続して形成されており、該一部が、部材が取り付け位置にあるときに容器の内部に少なくとも部分的に位置せしめられ、該部材は、スカート部を該部分上にシート部に向けてスカート部を折り返すことにより作用的形状に配され、このようにして折り返されたスカート部の領域が容器内の減圧量が予め定まった値より少ないときにシート部に密封状態で接触せしめられる。
【００１１】
スカート部の形状はそれを形成する弾性的に変形可能な材料の選択範囲が広くなるように柔軟性をそれに付与する。実際には、香水のような製品との適合性が問題とはならないニトリル又はブチルのようなゴムを使用することができる。最後に、折り返されるスカート部に必要なものよりも僅かに長い長さを与えることにより、折り返し領域の回りの僅かな変動が許容され、その変動が、その役割を満足できるようには果たすことを妨げないように、そのシート部上への開閉部材の保持に影響を及ぼす。
好適には、シールを提供するように設計された領域はスカート部の自由縁部から離れて位置するスカート部の領域であり、シート部にはスカート部のシール領域が密封状態で接触するリム部が備えられている。例えば、シール領域はスカート部の自由縁部から０．５から３ｍｍの距離に位置している。よって、折り返し領域の回りには更に大きな変動さえ許容され、その変動が、その役割を満足できるようには果たすことを妨げないように、スカート部のどの領域がリム部に接触するかに影響を及ぼす。そのとき、シート部は空気取り込み流路の近くに容器により形成され、スカート部のシール領域が密封状態で押圧するリム部からなる。
【００１２】
他の実施態様では、シール領域はスカート部の自由縁部により形成されたリム部からなる。
好適な実施態様では、スカート部はスカート部の内面に形成された環状溝により形成された折り畳み領域の回りを折り返される。溝は折り畳みを容易にする。更に、得られるシールにとって不具合であるので材料の弾性の結果として折り畳み部分が部分的に開くことを防止することが可能になる。環状溝はＶ又はＵの形状を有しうる。他の形状を使用してもよい。
部材は全体がエラストマー材料から形成されていてもよい。あるいは、折り返されるようになされたスカート部だけがエラストマーで形成される。残りの部分、特に保持手段とスカート部がその上に折り返される部分は非エラストマー材料から製作されていてもよく、二段射出成形又はオーバーモールディングにより全部材を得ることも可能である。
【００１３】
好ましくは、本発明に係る部材は、熱可塑性又は架橋エラストマーから選択されるエラストマー材料から全体的に又は部分的に製作される。例を挙げると、ニトリル、ブチル、シリコーン、天然又は合成ラテックス、ＥＰＤＭ、ポリウレタン、ポリプロピレンとＳＢＳ、ＳＥＢＳ又はＥＰＤＭの混合物、超低密度ポリエチレン、ポリエステルグリコール（ＴＰＵ）又はポリエーテルグリコール（ＰＥＢＡ及びＣＯＰＥ）系ブレンド及び軟質ポリ塩化ビニル（ＰＶＣ）を挙げることができる。好ましくは、採用される実施態様に応じて、そのような材料は２０ショアーＡから４０ショアーＤ、好ましくは４０ショアーＡから７５ショアーＡの硬度を有している。その弾性は０．５から５ＭＰａの範囲、好ましくは０．８から２ＭＰａの範囲（伸び１００％での引張応力）の範囲でありうる。
【００１４】
部材の材料と形状は、容器に空気が取り込まれるようにするために望ましい閾値に従って選択される。純粋に例示的には、容器の外部に位置した手動操作式ポンプにより内容物が引き上げられる容器に装備するための部材の場合は、減圧に対する予め定まった閾値は約２００ｍｂａｒとできる（大気圧に対する圧力δ）。ある応用、例えばそれが含む製品が容器の壁部を加圧することにより放出させられる可撓性壁部の容器の場合には、部材のシール領域のシールはより低い減圧差に対して破壊されうる。
部材は、好ましくはその内部に取り付けられることが意図された空気取り込み流路の最小直径よりも大きな直径の部材の部分からなる保持手段により空気取り込み流路内に保持されている。本発明において、「直径」という用語は部材又は空気取り込み流路の断面に内接した円の直径を意味するものと理解される。しかし、円形断面が好ましい。
【００１５】
本発明の他の側面では、特に化粧用製品を収容するために設計された容器を装備するためのキャップが製作され、該キャップは容器にそれを取り付ける手段を具備し、キャップは更に製品を排出するための少なくとも一つの流路と、空気取り込みのための流路を具備し、本発明に係る部材が空気取り込み流路内に設けられることを特徴とする。
好適には、空気取り込み流路は、
ａ）キャップが容器上に取り付けられた位置にあるときに後者の外側に向けられ、流路が形成されるキャップの壁部の厚みの部分にわたって延びる第１の部分；及び
ｂ）キャップが容器上に取り付けられた位置にあるときに後者の外側に向けられ、壁部の厚みの残りにわたって延びる第２の部分；
から形成されており、第２の部分は第１の部分より小なる第２の直径を有している。
【００１６】
好適には、上記部分の各々はそれぞれ空気取り込み流路が形成される壁部の厚みのおよそ半分にわたって延びている。
部材は、空気取り込み流路内に、直径が空気取り込み流路の第１の部分の直径とほぼ等しいか小さい部材の部分からなりうる保持手段によって保持され、開閉部材はまた作用的形状では、第２の直径より大なる最小直径を有している。保持手段と空気取り込み流路の第１の部分の間の直径の差異により、開閉部材がそのシート部に密封状態で接触していないとき空気が通過するとうにする環状空間を形成することが可能になる。しかし、ほぼ同一の直径の場合には空気のための流路は一又は複数のチャンネルにより形成することができる。
【００１７】
有利には、空気取り込み流路の第1の部分は、部材により形成された対応する肩部と係合するようにされた肩部により第２の部分とは分離しており、一又は複数のチャンネルが肩部の少なくとも一方又は他方の面に形成され、開閉部材がシート部と密封状態で係合していない状態において容器に向けての空気の少なくとも一つの流路を形成する。
好適な実施態様では、空気取り込み流路の第２の部分は、容器の内部に向かうリム部によって延びており、開閉部材のシール部はリム部上に密封状態で押圧可能である。
【００１８】
本発明に係る部材は、空気取り込み流路の第２の部分に面して位置するその部分において、開閉部材が密封状態で係合していないときに第２の部分を空気が通ることを可能にするような寸法とされている。有利には、空気取り込み流路の第２の部分に面して位置した部材部分は、開閉部材がそのシート部と密封状態で接触しているときに実質的に流路全体を占め、容器内の減圧に応答したこの部分の伸長が、減圧が予め定まった値より低くなるまで落下すると空気に対して必要な流路を許容するその断面の十分な減少を引き起こす。あるいは、空気取り込み流路の第１及び第２部分を分離する肩部に形成されたチャンネルが空気取り込み流路の第１及び／又は第２の部分の側方縁部上に軸方向に連続している。
特に美的理由から、保持手段の厚みは、好ましくは、空気の取り込み流路の第１の部分の深さにせいぜい等しい。よって、保持手段はキャップの表面に対して過剰の厚みを生じない。
【００１９】
有利には、キャップは容器を、容器とポンプの間に配設された少なくとも一本の管路を介して容器の外部に配設されたポンプと連通するように位置させることができる。好ましくは、キャップは、容器の外部に配設されポンプに接続される管路の取り付けと、容器内に配設され、その自由端が容器の底部にほぼ配設されることが意図された浸漬チューブとの排出流路を介しての連通を可能にする手段を具備する。
管路及び浸漬チューブは、キャップの各側に設けられる適切なアダプター部材上に強制的に取り付けられうる。しかし、他の取り付け手段も考えられる。あるいは、ポンプへの供給管路はキャップ内に形成された適切な透孔を通って密封状態で通過し、程度の差はあれリザーバの底部に配設された自由端を有するように連続する。他の変形例としては、容器は頭部を下方に向けて使用することが意図され、これにより、浸漬チューブの役割をする管路を使用して分配することが可能になる。
【００２０】
キャップ取り付け手段は、その自由縁部が開口部を形成する容器の首部に、キャップを、特にネジ締結又はスナップ締結により、取り付けることを可能にしうる。そのようなキャップは、熱可塑性材料、特にポリエチレン又はポリプロピレンを成形することにより得ることができる。
発明の他の側面では、特に化粧用製品を収容するように設計され、本発明に係る空気取り込み部材を備えた容器がまた製作される。
本発明の更に他の側面では、製品、例えば化粧用製品を収容するように設計され、本発明に係るキャップを備えた容器がまた製作される。
【００２１】
容器は、剛性材料、特に熱可塑性材料、金属、ガラス又はセラミックから製作されうる。内容物が汲み上げにより分配されることが意図された容器の場合には、容器の本体は剛性材料、特に香水に対してはガラスからなりうる。あるいは、容器の内容物は、製品の圧力下で開き、圧力が解かれるとその閉止位置に復帰可能な閉止部材（バルブ型のもの）を備えた透孔を通じて分配することが意図される。この場合、容器の弾性的に変形可能な壁部に圧力を作用させることにより製品は加圧される。このような分配方法は、シャンプー、サンクリーム又はパーソナル衛生用製品の分配に特に適している。
【００２２】
本発明の更に他の側面では、
ａ）本発明に係る容器；
ｂ）容器の外部に配設され少なくとも一つの管路を介して容器に接続された手動操作式ポンプ；及び
ｃ）ポンプを作動し少なくとも一つの透孔を通じて製品を分配するための手段；を具備する、製品、例えば化粧用製品を収容（包装）し分配するための装置が製作される。
かかる装置は、特に化粧用製品、特に毛髪、パーソナル衛生、ケア又はメークアップ製品あるいは香水の収容と分配に適している。
【００２３】
【発明の実施の形態】
本発明は、ここに記載した構成とは別に、添付図面を参照しながら説明する幾つかの非限定的な例示的実施態様に対して以下に説明する所定数の他の構成からなる。
図１に示された装置１００は香水を含んでいるガラス瓶の形をしており、キャップ２００が上部に取り付けられている容器３００を具備している。キャップの横断壁２０１には、それを貫通するスリーブ管２０３が設けられており、その管に、容器と連通している管路１０２の第１端が強制的に挿入されている。管路１０２の他端は、香水陳列カウンター１０５上に取り付けられたポンプ１０４の入口スリーブ管１０３に圧力嵌合されている。ポンプ１０４の上には押圧ボタン１０６が取り付けられ、その可動部分１０７はポンプを操作し、スプレーノズル１０８から製品を分配するためのものである。
キャップの壁部２０１には、それを貫通して、ある部材(図示せず)が取り付けられる空気取り込み流路が設けられており、その部材と流路は以下の図面に記載された実施態様を参照しての詳細な説明により明らかになるであろう。
【００２４】
図３（ａ）に示された容器３００は、一端が端面壁３０２によって閉止されているガラス製本体３０１を具備している。端面壁３０２の反対の端部において、本体３０１は首部３０３を有しており、その自由縁部が開口部３０４を形成している。首部の外表面には、熱可塑性キャップ２００の内面に設けられた対応するネジ部２０６と協働するように設計されたネジ部３０５が形成されている。
キャップ２００は、一端が横断壁２０１により閉塞された開口した円筒から形成されている。横断壁２０１はその内面に、容器３００の開口部３０４の回りにシールを形成可能なスカート部２０２を有している。壁部２０１には円筒状のスリーブ管２０３が貫通して設けられており、該管が製品のための排出流路２０５を形成しており、その一端は容器の外部にある。スリーブ管２０３の他端は容器３００の本体の内部にある。スリーブ管２０３の内部には、横断壁２０１の僅かに下方のレベルに、環状フランジ２０４がある。環状フランジ２０４は、容器の内部からスリーブ管内に強制的に挿入された浸漬チューブ３０７の端部の当接部を形成するためのものである。浸漬チューブ３０７は実質的に容器の底部に配設された自由端３０８を有している。環状フランジ２０４はまた容器３００の外側に配設されたポンプ（図示せず）に連結されるように構成された流路１０２の一端の当接面も形成しており、流路の該端部は容器の外側からスリーブ管内に強制的に挿入されている。
【００２５】
キャップ２００の壁部２０１には、エラストマー材料、例えばシリコーン系のものから形成された部材１０が内部に設けられている、空気取り込み流路２１０が貫通して形成されており、これは図２（ｃ）及び２（ｄ）の詳細図を参照しながら以下に特に詳細に説明する。
空気取り込み流路２１０は、壁部２０１のおよそ半分の厚さにわたって、第１の（外側）部分２１１を有しており、これには、第１の部分２１１より小なる直径の第２の（内方）部分２１２が、壁の厚みの残りにわたって連続している。２つの部分２１１及び２１２は肩部２１３によって分離され、その肩部の表面に、空気の取り込み流路の部分２１１の側方縁部に沿って直角に連続する複数の半径方向のチャンネル２１４が形成されている。チャンネル２１４はまた空気取り込み流路の上記部分２１２の側方縁部に沿って直角に連続していてもよい。例示すると、上記部分２１１は約１０ｍｍの最大直径を有している。内方部分２１２は、約８ｍｍの直径を有している。チャンネル２１４の深さは１／４から１／２ｍｍのオーダーである。
【００２６】
空気取り込み流路に挿入されることとなる部材１０は図２（ａ）及び２（ｅ）に取り付け前の状態で示されている。該部材は、より大なる直径部分１２からなる基部１２を有している。該基部は空気取り込み流路２１０内に部材１０が保持されるようにするためのものである。該基部１２の最大直径は空気取り込み流路の上記部分２１１の内径にほぼ等しい（チャンネル２１４の頂部で）。基部１２は自由縁部を有しているスカート部（１８，１５）と基部１２の間の連結部を提供する中実の円筒部１３又は＜脚部＞により連続している。脚部１３は環状流路に空気が流通できるようにするために空気取り込み流路の上記部分２１２の内径より僅かに小さい直径を有している。肩部１６が基部１２と脚部１３の間に形成され、空気取り込み流路２１０の肩部２１３と係合するように設計されている。脚部１３の軸方向高さは、肩部１６が肩部２１３に当接したとき、脚部１３が容器内に顕著に突出するような高さである。図２（ａ）から２（ｅ）に示した空気取り込み流路２１０の構成では、シールリップ部１４はスカート部１５の自由縁部により形成されており、その壁部は薄い(約１ｍｍ厚又はそれ以下のオーダー)。スカート部１５自体は、スカート部１５の壁部の厚みよりも大なる厚みのスカート部１８と連続して形成されている。スカート部１８の外面は脚部１３の外面と連続して延びている。スカート部１５及び１８が合致する場所にはＶ字形の溝１７が形成されており、以下に更に詳細に説明するように、スカート部１５を脚部１３上に折り返すためのものである。
【００２７】
空気取り込み流路２１０への部材１０の取り付けは図２（ａ）及び２（ｂ）に示されている。図２（ａ）では、成形された状態の部材１０が流路２１０内に導入されており、スカート部１５及び１８は脚部と連続している。部材１０は、肩部１６が肩部２１３に係合するまで空気取り込み流路２１０中に押し込められる。完全に押し込められると、スカート部１５は部材１０の外側に向けて折り返され（図２（ｂ）の矢印２０，２１を参照）、脚部１３上に当接することになり、この折り返しはＶ字形の溝１７で起こる。スカート部１５の長さは図２（ｂ）に示された折り返し位置においてリップ部１４が流路２１０を形成するキャップの内面２１６と折り返し領域１７の間で程度の差はあれ弾性的に圧縮される。この内面２１６は従ってシールリップ部１４が弾性的に当接するシート部を形成する。
【００２８】
図３（ａ）及び３（ｂ）では、容器３００には、図２（ａ）−２（ｅ）を参照して丁度説明をしたものである部材１０が備えられている。
ポンプが操作される度に、減圧状態が容器の内部につくり出される。容器内の減圧状態が空気の取り込みが可能になる閾差圧値以下である限り、部材１０のリップ部１４はシート２１６と密封状態で接触している（図２（ｃ）及び３（ａ））。容器３００は完全にシールされている。
図２（ｄ）において明らかなように、減圧量が前もって定めた値に達すると、スカート部１５が、それが折り返された脚部１３から半径方向に離れるように移動する。そうすると、リップ部１４はシート部２１６ともはや密封状態で接触しなくなる。従って、空気がチャンネル２１４を経由し、かつ脚部１３の回り中の環状流路を経由して容器３００内に取り込まれる。空気のこの循環は図３（ｂ）に矢印２２０及び２２１によって示されている。容器内の減圧量が予め定められた差圧値以下に落ちると、シールリップ部１４が、スカート部１５が作用させる弾性復元力によって戻り、シート部２１６に弾性的に当接する。容器３００のシールがそのとき再びなされる。
【００２９】
図４（ａ）及び４（ｂ）に示した好適な他の変形例では、空気取り込み流路２１２の第２の部分２１２が、空気取り込み流路２１０の近くのリム部２２６によって容器の内部に向けて延長せしめられている。このような構成を用いることにより、シート部２１６と密封状態で接触するように設計されたスカート部の領域が、この場合にはスカート部の自由縁部から離れて位置するスカート部の領域１９である。スカート部は部材１０の外側に折り返され、今度はリム部２２６に当接する。スカート部の長さは、図４（ｂ）に示した折り返し位置においてスカート部の領域１９がリム部２２６の一部に密封状態で接触するようになるように選択される。
先の詳細な記述では、発明の幾つかの好ましい実施態様について言及した。特許請求の範囲に記載した発明の精神から逸脱しない限り、それに変形を加えることができることは明らかである。
【図面の簡単な説明】
【図１】  本発明に係る空気取り込み部材を備えた収容分配装置の一実施態様を概略的に示す。
【図２】  図２（ａ）−２（ｅ）は本発明に係る空気取り込み部材の一実施態様に関する。図２（ａ）−２（ｂ）はこの実施態様に係る空気取り込み部材を備えたキャップを概略的に示す。図２（ｃ）−２（ｄ）は第１の構成による空気取り込み流路に嵌合されたこの実施態様に係る空気取り込み部材を詳細に示す。図２（ｅ）は空気取り込み流路に取り付ける前のこの実施態様に係る空気取り込み部材を詳細に示す。
【図３】  図３（ａ）−３（ｂ）は図２（ａ）−２（ｅ）によるキャップを備えた容器を示している。
【図４】  図４（ａ）−４（ｂ）は第２の構成による空気取り込み流路に嵌合された図２（ａ）−２（ｅ）の空気取り込み部材を示す。
【符号の説明】
１０                部材
１２                保持手段
１５                開閉部材、スカート部
２１０              空気取り込み流路
２１６              シート部
３００              容器
【図１】
0003886732.tif 000002
【図２】
0003886732.tif 000003
0003886732.tif 000004
0003886732.tif 000005
【図３】
0003886732.tif 000006
0003886732.tif 000007
【図４】
0003886732.tif 000008